(57)【要約】【課題】少ない作業員にて、埋入物の周囲における作業性を害することなく、埋入物を所望位置に正確に埋入することができる、地中への埋入物の埋入方法を提供する。【解決手段】直線に略沿った棒状の埋入物を該直線に沿って地中に埋入する埋入方法であって、該埋入物の埋入位置に関連する所定位置に光線を照射することができるよう光線の照射位置を設定する照射位置設定工程と、該照射位置設定工程にて照射位置が調節された該光線が、該埋入物の所定箇所に照射されるよう該埋入物の位置を調節する埋入物位置調節工程と、該埋入物を該直線に沿って地中に埋入する埋入工程と、を備えてなる埋入方法である。前記所定箇所が、前記埋設物の側面上に存するものであってもよい。【選択図】  図２
2004360237.tif 000002
【特許請求の範囲】
【請求項１】
直線に略沿った棒状の埋入物を該直線に沿って地中に埋入する埋入方法であって、
該埋入物の埋入位置に関連する所定位置に光線を照射することができるよう光線の照射位置を設定する照射位置設定工程と、
該照射位置設定工程にて照射位置が調節された該光線が、該埋入物の所定箇所に照射されるよう該埋入物の位置を調節する埋入物位置調節工程と、
該埋入物を該直線に沿って地中に埋入する埋入工程と、
を備えてなる埋入方法。
【請求項２】
前記所定箇所が、前記埋設物の側面上に存するものである、請求項１に記載の埋入方法。
【請求項３】
前記埋入物が穴穿設手段である、請求項１又は２に記載の埋入方法。
【請求項４】
前記埋入物が、くい基礎に用いられるくいである、請求項１又は２に記載の埋入方法。
【請求項５】
請求項３に記載の埋入方法と、前記穴穿設手段を土中から抜き取る抜き取り工程と、を実施した後、
該抜き取り工程により形成される嵌入口に、くい基礎に用いられるくいを前記埋入物として埋入する、請求項４に記載の埋入方法。
【請求項６】
前記光線がレーザ光線である、請求項１乃至５のいずれかに記載の埋入方法。
【請求項７】
前記直線に交わる平面上に存する少なくとも異なる２点を前記所定箇所が含むよう、前記光線が異なる複数の方向から照射されるものである、請求項１乃至６のいずれかに記載の埋入方法。
【請求項８】
前記異なる複数の方向が、略直角をなすものである、請求項７に記載の埋入方法。
【請求項９】
前記照射位置設定工程が、前記所定位置が位置すべき位置を示す目標物に前記光線を照射することで前記光線の照射位置を調節するものである、請求項１乃至８のいずれかに記載の埋入方法。
【発明の詳細な説明】
【０００１】
【発明の属する技術分野】
本発明は、地中への埋入物の埋入方法に関し、より詳細には、直線に略沿った棒状の埋入物を該直線に沿って地中に埋入する埋入方法に関する。
【０００２】
【従来の技術】
ここでは後述するように、まず土を掘進するオーガスクリュ（埋入物）を土中に埋入した後、該オーガスクリュを土中から抜き取る抜き取ることで土中に嵌入口を形成し、さらに、くい基礎に用いられるくい（埋入物）を嵌入口に埋入する工程を従来の技術（以下、「従来法」という。）として説明する。
図６乃至図９を参照して、従来法について説明する。
図６は、従来法の第１工程を示す図である。図６（ａ）は従来法の第１工程の全体概略図を示し、図６（ｂ）は後述する目印棒１０５、１０７のうちの１本の状態（目印棒１０５、１０７のいずれも同じ状態である。）を示す詳細図である。また、図９は、目印棒１０５、１０７の詳細を示す図である。図９を参照して、目印棒１０５、１０７について説明する。目印棒１０５、１０７は、通称「バカ棒」とも呼ばれ、直線に沿ってのびるほぼ真っ直ぐな棒状部材によって形成されている（目印棒１０５、１０７はいずれも同じ物が用いられている。）。目印棒１０５、１０７は、一端１０５ｂ、１０７ｂ側に近いところに基準目印１０５ｆ、１０７ｆが付されると共に、基準目印１０５ｆ、１０７ｆから第１の距離Ａだけ他端１０５ａ、１０７ａ側に位置する位置に付された第１目印１０５ｇ、１０７ｇを有し、さらに基準目印１０５ｆ、１０７ｆから第２の距離Ｂだけ他端１０５ａ、１０７ａ側に位置する位置に付された第２目印１０５ｈ、１０７ｈを有している。ここに第１の距離Ａはオーガスクリュ１１１がなす円柱形状の半径にほぼ一致しており、第２の距離Ｂはくい１３１がなす円柱形状の半径にほぼ一致している。
【０００３】
再び、図６を参照する。地面１０１に目標杭１０３が立設されている。目標杭１０３は、埋入されるオーガスクリュ及びくいとが存すべき位置を示すものである。
まず、図６に示すように（特に、図６（ｂ）を参照されたい。）、目印棒１０５、１０７を略水平（地面１０１に対して約平行）に向けた状態で目印棒１０５、１０７の他端１０５ａ、１０７ａを目標杭１０３の側面に当接させる。そして、目印棒１０５、１０７が有する基準目印１０５ｆ、１０７ｆが示す位置に、基準棒１０９を略鉛直方向に向けて地面１０１に立設する（図６（ｂ）参照）。
そして、目印棒１０５、１０７それぞれについて基準棒１０９を立設した後、目標杭１０３を地面１０１から抜き取る。
なお、図示を容易にするため、図６（ａ）においては基準棒１０９の図示を省略している。
【０００４】
図７は、従来法の第２工程を示す図である。図７（ａ）は従来法の第２工程の全体概略図を示し、図７（ｂ）は目印棒１０５、１０７のうちの１本の状態（目印棒１０５、１０７のいずれも同じ状態である。）を示す詳細図である。第２工程では、図７に示すように、オーガスクリュ１１１によって土を掘進する（なお、図示を容易にするため、オーガスクリュ１１１を回転させる杭施工機（例えば、特許文献１参照。なお、杭施工機は、アースオーガ等とも呼ばれる。）は図示しておらず、図７（ａ）においては基準棒１０９を図示していない。）。
オーガスクリュ１１１を下降させる前に、基準棒１０９の位置に第１目印１０５ｇ、１０７ｇが一致するよう目印棒１０５、１０７を一端１０５ｂ、１０７ｂ側に移動させる。かかる移動後の状態を図７（ｂ）に示している。前述のように、基準目印１０５ｆ、１０７ｆと第１目印１０５ｇ、１０７ｇとの間の距離たる第１の距離Ａは、オーガスクリュ１１１がなす円柱形状の半径にほぼ一致しているので、図７に示した状態にて他端１０５ａ、１０７ａがオーガスクリュ１１１の側面にほぼ当接した状態を保ちつつ、オーガスクリュ１１１を回転させて土を掘進していけば、目標杭１０３が立設されていた位置を中心としてオーガスクリュ１１１が回転し、後述するくい１３１が嵌入される嵌入口１２１が穿設される。
所望の深さまで嵌入口１２１が穿設された後、オーガスクリュ１１１を上昇させ土中から抜き取る。
【０００５】
図８は、従来法の第３工程を示す図である。図８（ａ）は従来法の第３工程の全体概略図を示し、図８（ｂ）は目印棒１０５、１０７のうちの１本の状態（目印棒１０５、１０７のいずれも同じ状態である。）を示す詳細図である。第３工程では、図８に示すように、第２工程にて形成された嵌入口１２１にくい１３１を埋入する（なお、図示を容易にするため、図８（ａ）においては基準棒１０９を図示していない。）。
第２工程にて形成された嵌入口１２１に、くい基礎に用いられるくい１３１を挿入するように下降させる前に、基準棒１０９の位置に第２目印１０５ｈ、１０７ｈが一致するよう目印棒１０５、１０７を一端１０５ｂ、１０７ｂ側に移動させる。かかる移動後の状態を図８（ｂ）に示している。前述のように、基準目印１０５ｆ、１０７ｆと第２目印１０５ｈ、１０７ｈとの間の距離たる第２の距離Ｂは、くい１３１がなす円柱形状の半径にほぼ一致しているので、図８に示した状態にて他端１０５ａ、１０７ａがくい１３１の側面にほぼ当接した状態を保ちつつ、くい１３１を下降させれば、目標杭１０３が立設されていた位置とくい１３１の中心軸とがほぼ一致した状態でくい１３１が嵌入口１２１に嵌入される。
以上のようにして、目標杭１０３の位置に従ってくい１３１を立設することが行われてきた。
【０００６】
【特許文献１】
特開２００２−３２２６４５号公報（第５−１２頁、第１−１９図）
【０００７】
【発明が解決しようとする課題】
しかしながら、上述のような従来法においては、次のような問題があった。
即ち、問題としては、（１）目印棒１０５、１０７を用いて目標杭１０３の位置に従って基準棒１０９を立設し、その立設した基準棒１０９を基準の位置として目印棒１０５、１０７を用いて埋入物たるオーガスクリュ１１１及びくい１３１の位置を決めてこれらの物を立設するので、立設される埋入物たるオーガスクリュ１１１及びくい１３１の位置を正確に決めることが困難であること、（２）目印棒１０５、１０７の他端１０５ａ、１０７ａを当接させることで埋入物たるオーガスクリュ１１１及びくい１３１の位置を決める必要があるので、立設される埋入物たるオーガスクリュ１１１及びくい１３１の周囲に目印棒１０５、１０７や基準棒１０９が存し、埋入物たるオーガスクリュ１１１及びくい１３１の周囲における作業性を害すること（目印棒１０５、１０７や基準棒１０９が邪魔になる。）、（３）目印棒１０５、１０７それぞれについて作業員一人が把持等する必要があり、多くの作業員が必要になること（通常、目印棒１０５、１０７の本数と同じ人数を要する。）、等がある。
【０００８】
そこで、本発明では、少ない作業員にて、埋入物の周囲における作業性を害することなく、埋入物を所望位置に正確に埋入することができる、地中への埋入物の埋入方法を提供することを目的とする。
【０００９】
【課題を解決するための手段】
本発明の地中への埋入物の埋入方法（以下、「本方法」という。）は、直線に略沿った棒状の埋入物を該直線に沿って地中に埋入する埋入方法であって、該埋入物の埋入位置に関連する所定位置に光線を照射することができるよう光線の照射位置を設定する照射位置設定工程と、該照射位置設定工程にて照射位置が調節された該光線が、該埋入物の所定箇所に照射されるよう該埋入物の位置を調節する埋入物位置調節工程と、該埋入物を該直線に沿って地中に埋入する埋入工程と、を備えてなる埋入方法である。
【００１０】
こうすることで照射位置設定工程において、埋入物の埋入位置に関連する所定位置に光線を照射することができるよう光線の照射位置を設定する。そして、埋入物位置調節工程において、照射位置設定工程にて照射位置が調節された光線が、埋入物の所定箇所に照射されるよう埋入物の位置を調節する。埋入工程においては、埋入物を該直線に沿って地中に埋入する。ここに埋入物位置調節工程は、埋入物の位置を調節することが必要な際に行われればよくその時期や回数は何ら限定されないが、例えば、埋入物位置調節工程を行った後に埋入工程を行うようにしても、埋入工程を行いつつ埋入物位置調節工程を行うようにしても、埋入物位置調節工程をまず行った後、埋入工程を行いつつさらに埋入物位置調節工程を行うようにしてもよい。
また、「埋入物の埋入位置に関連する所定位置」とは、埋入物が埋入されるべき地面上の位置たる埋入位置に埋入物が該直線に沿って埋入される過程において、埋入物の該所定箇所が通過することが想定される位置をいう。
このようにすることで、埋入物位置調節工程にて埋入物の位置を調節して、埋入工程にて該直線に略沿った棒状の埋入物を該直線に沿って地中に埋入する。このように光線により埋入物の位置を調節するので埋入物の周囲における作業性を害することなく、埋入物の所定箇所に光線が照射されていることを確認することで極めて正確に埋入物の位置を調節することができ埋入物を所望位置に正確に埋入することができる。また、光線の照射位置を一度設定すれば、埋入物の所定箇所に光線が照射されていることを確認することは目視にて極めて簡単に行うことができるので（前述の従来の技術のように、目印棒１０５、１０７それぞれを作業員が把持等する必要がない。）、少ない作業員にて埋入物を埋入することができる。
【００１１】
前記所定箇所が、前記埋設物の側面上に存するものであってもよい。
こうすることで埋入工程において埋入物を該直線に沿って地中に埋入する際、埋入物は直線に略沿った棒状をしているので、埋入物位置調節工程において光線が埋入物の側面上に存する所定箇所に照射されるようにすれば、埋入される際に埋入物が該直線に沿って移動しても光線が埋入物の側面上に照射される状態を継続させることができ、埋入される際の埋入物の移動に伴う照射位置設定工程の繰り返しを防止又は減少させることができる。
【００１２】
前記埋入物が穴穿設手段であってもよい（この場合の本方法を「穴穿設手段適用法」という。）。
ここに「穴穿設手段」とは、先端方向に押しつけられた状態で軸の周りに回転されることで該先端方向に向かって土中に穴を穿設（掘進）することができるものをいい、例えば、オーガスクリュ（回転軸の周りに螺旋のスクリュー刃が設けられたもの）、掘削ロット（回転軸の周りに突出するように掘削用の突起刃が設けられたもの）、攪拌ロット（回転軸の周りに突出するように攪拌用の突起が設けられたもの。撹拌シャフトとも言う。）、攪拌バー（回転軸の周りに突出するように攪拌用の突起が設けられたもの）、ケーシングスクリュー等を含む概念である。
オーガスクリュ等のような穴穿設手段は、土を掘進して穴を穿設するものであり、通常、土木工事の基礎工事等に用いられる。このため穴穿設手段により土を掘進する際には、穿設される穴の位置が所望位置になるように穴穿設手段を所定位置に保持する必要がある。従って、穴穿設手段を埋入する際、本方法によれば、極めて正確に穴穿設手段の位置を調節することができ、所望位置に正確に穴を穿設することができる。また、穴穿設手段は、その側面に突出する突出物が形成（例えば、オーガスクリュであれば、その側面に螺旋状のフィン（掘進するための螺旋状のスクリュ刃）が突出物として形成されており、攪拌ロットや撹拌シャフトであれば、その側面に攪拌用の突起が突出物として形成されている。）されていることが多いことから、前述の従来の技術において用いていた目印棒１０５、１０７の他端１０５ａ、１０７ａを穴穿設手段に当接させた状態を保つことが困難であることが多く、このため穴穿設手段の位置を所定位置に保持することが困難なことが多かったが、本方法によればかかる問題は生じない。
【００１３】
前記埋入物が、くい基礎に用いられるくいであってもよい（この場合の本方法を「くい適用法」という。）。
くいはくい基礎に用いられるものであり、建造物等の基礎構造を形成する主たるものである。このためくいを埋入する位置は正確であることが好ましく、本方法によってくいを埋入すれば、極めて正確にくいの位置を調節することができ、所望位置に正確にくいを埋入することができる。
【００１４】
くい適用法の場合、穴穿設手段適用法と、前記穴穿設手段を土中から抜き取る抜き取り工程と、を実施した後、該抜き取り工程により形成される嵌入口に、くい基礎に用いられるくいを前記埋入物として埋入するようにしてもよい。
こうすれば穴穿設手段適用法により極めて正確に穴穿設手段の位置を調節して所望位置に正確に穴を穿設することができ、抜き取り工程により穴穿設手段を土中から抜き取ることで所望位置に正確に嵌入口を穿設することができる。そして、くい適用法により極めて正確にくいの位置を調節して嵌入口（穴穿設手段適用法にて正確な位置に穿設されている。）に正確にくいを埋入することができるので、穴穿設手段適用法とくい適用法とが相俟ってくいを非常に正確に埋入することができる。
【００１５】
前記光線がレーザ光線であってもよい。
本方法に用いる光線は、埋入物の所定箇所に照射されているか否かを認識できればいかなるものであってもよく何ら制限されるものではないが、レーザ光線は、直進性が高く（指向性が鋭い）照射されているか否かを視認する視認性にも優れるので、本方法に用いられることが好ましい。
【００１６】
前記直線に交わる平面上に存する少なくとも異なる２点を前記所定箇所が含むよう、前記光線が異なる複数（２以上の整数）の方向から照射されるもの（以下、「複数方向照射法」という。）であってもよい
ここに「前記直線に交わる平面」とは、前記直線が該平面に存さず、かつ前記直線が該平面と交わるものである平面をいう。前記直線と該平面とがなす角（０〜９０度のものをいう。）は、少なくとも異なる２点である前記所定箇所に光線が照射されているか否かを目視により認識する場合の視認性（例えば、一人の作業者が全ての前記所定箇所を目視にて確認する場合であれば、視線の移動が少ない方が視認しやすい。）の点からは大きい方が好ましく、通常、３０〜９０度であり、好ましくは４５〜９０度であり、より好ましくは６０〜９０度であり、最も好ましくは７０〜９０度である。
【００１７】
複数方向照射法の場合、前記異なる複数の方向が、略直角をなすものであってもよい。
ここに「複数の方向が、略直角をなす」とは、複数の方向のうちの２の方向を考え、該２の方向の一方に平行な直線と、該２の方向の他方に平行な直線と、の両直線が略直角に交わる（両直線が交わらないときは、両直線が交わるようにいずれかの直線を平行移動させたとき両直線が略直角に交わる）ような該２の方向が該複数の方向に存することをいう。
こうすることで前記直線に対して垂直方向への埋入物の不意の変位が、前記直線の周りのどちらの方向に起こってもうまく認識でき、埋入物の位置を調節することができるので好ましい。
【００１８】
前記照射位置設定工程が、前記所定位置が位置すべき位置を示す目標物に前記光線を照射することで前記光線の照射位置を調節するものであってもよい。
こうすることで所定位置が位置すべき位置を示す目標物に光線を照射することで光線の照射位置を調節するので（即ち、目標物に光線を照射して目標物に光線が照射されることを確認しつつ光線の照射位置を調節するので）、照射位置設定工程において、所定位置に光線を照射することができるよう光線の照射位置を確実に設定することができる。
なお、ここに「所定位置が位置すべき位置を示す目標物」とは、該所定位置が位置すべき位置に目標物が存する場合のみならず（無論、この場合であってもよい）、目標物に光線を照射して光線の照射位置を調節することで、該所定位置に光線を照射することができるよう光線の照射位置を設定することができるものであればいかなるものであってもよい。
【００１９】
【発明の実施の形態】
以下、本発明の実施の形態を図面を参照して説明する。しかしながら、これらによって本発明は何ら制限されるものではない。
【００２０】
図１は、照射位置設定工程たる第１工程を示す図であり、図１（ａ）は第１工程の状況を示す斜視図であり、図１（ｂ）は平面図（後述の目標杭１０３の鉛直上方から見たところを示している。）である。図１を参照して、照射位置設定工程たる第１工程について説明する。
地面１０１に目標物たる目標杭１０３が立設されている（目標杭１０３は略直線に沿った棒状物であり、該直線は鉛直方向に略向いている。）。目標杭１０３は、埋入されるオーガスクリュ１１１（穴穿設手段）及びくい１３１（いずれも後述する。）とが存すべき位置を示すものである。
【００２１】
目標杭１０３に向けてレーザ光線２１、２３が照射されている。ここにレーザ光線２１、２３を発射する発射装置１１、１３は、地面１０１に設置されており、いずれも同じ装置が用いられている（発射装置１１、１３のいずれも、具体的には、レーザーテクノ株式会社製の型番ＬＴＣ−７７を用いている。）。発射装置１１、１３のいずれも、レーザ光線２１、２３を任意の方向に発射することができ、さらに、発射方向を任意の方向で固定することができる。また、ここではレーザ光線２１の発射方向と、レーザ光線２３の発射方向と、は略直交するように発射装置１１、１３が配設されている（図１（ｂ）中のＤ１は約９０度である。）。
そして、発射装置１１から発射されたレーザ光線２１が目標杭１０３の上部（目標杭１０３の側面のうちの上部）に照射されると共に、発射装置１３から発射されたレーザ光線２３が目標杭１０３の上部（目標杭１０３の側面のうちの上部）に照射されるように、発射装置１１、１３のレーザ光線２１、２３の発射方向をそれぞれ調節した後、その調節した方向にてそれぞれを固定する。発射装置１１、１３のレーザ光線２１、２３の発射方向は、後述するくい１３１の立設（埋入）が完了するまで固定したままで動かさない（レーザ光線２１、２３の発射方向は水平方向に関して動かさない。後述するように、レーザ光線２１、２３を鉛直面内にて移動させることで、くい１３１、連結軸１４３、オーガスクリュ１１１（穴穿設手段）等が鉛直に向いているか否かを確認するようにしてもよい。）。
以上のようにして、照射位置設定工程たる第１工程が完了する。
【００２２】
以上説明したように、ここでは後述する埋入物（オーガスクリュ１１１（穴穿設手段）及びくい１３１）の埋入位置に関連する所定位置に光線（レーザ光線２１、２３）を照射することができるよう光線（レーザ光線２１、２３）の照射位置を設定する照射位置設定工程が、該所定位置が位置すべき位置を示す目標物たる目標杭１０３に該光線（レーザ光線２１、２３）を照射することで該光線（レーザ光線２１、２３）の照射位置を調節するものである。
また、「埋入物（オーガスクリュ１１１及びくい１３１）の埋入位置に関連する所定位置」とは、埋入物（オーガスクリュ１１１及びくい１３１）が埋入されるべき地面上の位置たる埋入位置（ここでは目標物たる目標杭１０３により示される地面１０１上の位置）に埋入物（オーガスクリュ１１１及びくい１３１）が該直線（埋入物（オーガスクリュ１１１及びくい１３１）が形成する棒状形状が略沿った直線）に沿って埋入される過程において、埋入物（オーガスクリュ１１１及びくい１３１）の所定箇所（ここでは埋入物（オーガスクリュ１１１及びくい１３１）の側面上に存する。）が通過することが想定される位置をいう。
【００２３】
図１に示したように照射位置設定工程たる第１工程が終了した後、目標杭１０３を地面１０１から抜き取る。
その後、図２に示すように穴穿設手段たるオーガスクリュ１１１によって土を掘進する（なお、図示を容易にするため、オーガスクリュ１１１を回転させる杭施工機（アースオーガ等とも呼ばれる。）は図示していない。）。ここに図２（ａ）は掘進工程の状況を示す斜視図であり、図２（ｂ）は平面図（オーガスクリュ１１１の鉛直上方（直線Ｊ方向に沿った上方）から見たところを示している。）である。図２を参照して、掘進工程について説明する。
【００２４】
まず、直線Ｊ（オーガスクリュ１１１が形成する円柱形状の中心軸と一致する。）に略沿った棒状形状をしたオーガスクリュ１１１（穴穿設手段）を上方から降下させる。このとき発射装置１１から発射されたレーザ光線２１がオーガスクリュ１１１の側面に照射されると共に、発射装置１３から発射されたレーザ光線２３がオーガスクリュ１１１の側面に照射される状態（特に、図２（ｂ）を参照されたい。）を保つように、オーガスクリュ１１１を降下させる。このオーガスクリュ１１１の降下から嵌入口１２１の穿設完了までのオーガスクリュ１１１が土砂を掘進していく過程（埋入工程）においては、直線Ｊとレーザ光線２１の経路（光路）とは略同じ平面に属し、かつ直線Ｊとレーザ光線２３の経路（光路）とは略同じ平面に属する状態（無論、発射装置１１から発射されたレーザ光線２１と発射装置１３から発射されたレーザ光線２３とがオーガスクリュ１１１の側面に照射されている。）が保たれるよう、必要に応じてオーガスクリュ１１１の位置が調節される（埋入物位置調節工程）。かかる状態にて、オーガスクリュ１１１は、直線Ｊが略鉛直方向に向いた状態で回転（直線Ｊを中心として回転）されることで直線Ｊに沿って地中に嵌入口１２１（後述する）を穿設する（埋入工程）。ここでは具体的には、オーガスクリュ１１１が嵌入口１２１を所定距離掘進する（埋入工程）毎に、該状態が保持されるよう、オーガスクリュ１１１の位置を調節（埋入物位置調節工程）する。
【００２５】
図３は、オーガスクリュ１１１が土砂を掘進していく過程における、直線Ｊと直角に交わる平面によるオーガスクリュ１１１の断面図である。図３を参照して、該過程におけるレーザ光線２１、２３とオーガスクリュ１１１との位置関係について説明する。なお、オーガスクリュ１１１は、筒状の本体部１１１ａと、その外周に沿って螺旋状に形成された刃部１１１ｂと、を有してなる。
ここでは図３にあらわれた断面に存する点Ｌにレーザ光線２１が照射されていると共に、該断面に存する点Ｍにレーザ光線２３が照射されている。レーザ光線２１の経路（光路）を含む直線は直線Ｊと直角に交わり、レーザ光線２３の経路（光路）を含む直線は直線Ｊと直角に交わる。
このようにここでは直線Ｊに交わる平面（図３にあらわれる断面）上に存する少なくとも異なる２点Ｌ、Ｍを、所定箇所（レーザ光線２１、２３が照射されるオーガスクリュ１１１の箇所）が含むよう、光線（レーザ光線２１、２３）が異なる複数の方向から照射される。そして、ここでは前記異なる複数の方向が、略直角をなしている（レーザ光線２１の経路（光路）を含む直線と、レーザ光線２３の経路（光路）を含む直線と、は直線Ｊ上の点にて略直角に交わる。）。
【００２６】
このように該状態（直線Ｊとレーザ光線２１の経路（光路）とは略同じ平面に属し、かつ直線Ｊとレーザ光線２３の経路（光路）とは略同じ平面に属する状態（無論、発射装置１１から発射されたレーザ光線２１と発射装置１３から発射されたレーザ光線２３とがオーガスクリュ１１１の側面に照射されている。））を保ちつつ、穴穿設手段たるオーガスクリュ１１１を回転させて土を掘進していけば、目標杭１０３が立設されていた位置を中心としてオーガスクリュ１１１が回転し、後述するくい１３１が嵌入される嵌入口１２１が穿設される。
所望の深さまで嵌入口１２１が穿設された後、オーガスクリュ１１１を上昇させ土中から抜き取る（穴穿設手段たるオーガスクリュを土中から抜き取る抜き取り工程）。
【００２７】
以上説明したオーガスクリュ１１１が土砂を掘進していく方法は、直線Ｊに略沿った棒状の埋入物たるオーガスクリュ１１１（穴穿設手段）を直線Ｊに沿って地中に埋入する埋入方法であって、埋入物たるオーガスクリュ１１１（穴穿設手段）の埋入位置に関連する所定位置に光線（レーザ光線２１、２３）を照射することができるよう光線（レーザ光線２１、２３）の照射位置を設定する照射位置設定工程（前述の第１工程）と、該照射位置設定工程にて照射位置が調節された光線（レーザ光線２１、２３）が、埋入物たるオーガスクリュ１１１（穴穿設手段）の所定箇所（ここでは点Ｌ、Ｍ）に照射されるよう埋入物たるオーガスクリュ１１１（穴穿設手段）の位置を調節する埋入物位置調節工程と、埋入物たるオーガスクリュ１１１（穴穿設手段）を直線Ｊに沿って地中に埋入する埋入工程と、を備えてなる埋入方法である。
また、前記所定箇所（ここでは点Ｌ、Ｍ）が、埋設物たるオーガスクリュ１１１の側面上に存する。
【００２８】
図２及び図３を用いて説明した嵌入口１２１を穿設する工程（掘進工程）の後、図４に示すように、くい基礎に用いられるくい１３１を嵌入口１２１に挿入する。ここに図４（ａ）はくい１３１の挿入工程の状況を示す斜視図であり、図４（ｂ）は平面図（くい１３１の鉛直上方から見たところを示している。）である。
くい１３１の上端部分はくい支持部１４１により支持され、くい支持部１４１は連結軸１４３を介して杭施工機（アースオーガ等とも呼ばれる。）の一部１４５により支持されている（特に、図４（ａ）を参照されたい。）。このためくい１３１は、該杭施工機により水平方向及び鉛直方向の両方向に関し自由に移動できるようになっている。
【００２９】
まず、直線Ｐ（くい１３１が形成する円柱形状の中心軸と一致する。）に略沿った棒状形状をしたくい１３１を上方から降下させる。このとき発射装置１１から発射されたレーザ光線２１がくい１３１の側面に照射されると共に、発射装置１３から発射されたレーザ光線２３がくい１３１の側面に照射される状態（特に、図４（ｂ）を参照されたい。）を保つように、くい１３１を降下させる。このくい１３１の降下から嵌入口１２１へのくい１３１の挿入（埋入）完了までのくい１３１の挿入過程においては、直線Ｐとレーザ光線２１の経路（光路）とは略同じ平面に属し、かつ直線Ｐとレーザ光線２３の経路（光路）とは略同じ平面に属する状態（無論、発射装置１１から発射されたレーザ光線２１と発射装置１３から発射されたレーザ光線２３とがくい１３１の側面に照射されている。）が保たれるよう、必要に応じてくい１３１の位置が調節される（埋入物位置調節工程）。かかる状態にて、くい１３１は、直線Ｐが略鉛直方向に向いた状態で嵌入口１２１の所定位置まで直線Ｐに沿って降下される（埋入工程）。ここでは具体的には、くい１３１が嵌入口１２１中を所定距離降下される（埋入工程）毎に、該状態が保持されるよう、くい１３１の位置が調節（埋入物位置調節工程）される。
なお、ここで用いた発射装置１１、１３のいずれも、その発射するレーザ光線２１、２３の発射方向を鉛直面内にて自由に移動させることができるようになっているので、適宜その方向を鉛直面内にて移動させ、くい１３１が鉛直方向に略向いているか（直線Ｐが略鉛直方向に向いているか）否かを確認するようにしてもよい（図４（ａ）中、レーザ光線２１、２３を鉛直面内にて移動させたところを図示した。レーザ光線２１、２３を鉛直面内にて移動させることで、くい１３１が鉛直のみならず、照射方向２１ａ、２３ａのように連結軸１４３に向ければ連結軸１４３が鉛直に向いているか否かも確認することができる。）。これは前述したオーガスクリュ１１１（穴穿設手段）が嵌入口１２１を掘進する際、オーガスクリュ１１１が鉛直方向に略向いているか（直線Ｊが略鉛直方向に向いているか）否かを確認することにも利用できる。
【００３０】
図５は、くい１３１が嵌入口１２１中を降下していく過程における、直線Ｐと直角に交わる平面によるくい１３１の断面図である。図５を参照して、該過程におけるレーザ光線２１、２３とくい１３１との位置関係について説明する。
ここでは図５にあらわれた断面に存する点Ｑにレーザ光線２１が照射されていると共に、該断面に存する点Ｒにレーザ光線２３が照射されている。レーザ光線２１の経路（光路）を含む直線は直線Ｐと直角に交わり、レーザ光線２３の経路（光路）を含む直線は直線Ｐと直角に交わる。
このようにここでは直線Ｐに交わる平面（図５にあらわれる断面）上に存する少なくとも異なる２点Ｑ、Ｒを、所定箇所（レーザ光線２１、２３が照射されるくい１３１の箇所）が含むよう、光線（レーザ光線２１、２３）が異なる複数の方向から照射される。そして、ここでは前記異なる複数の方向が、略直角をなしている（レーザ光線２１の経路（光路）を含む直線と、レーザ光線２３の経路（光路）を含む直線と、は直線Ｐ上の点にて略直角に交わる。）。
【００３１】
このように該状態（直線Ｐとレーザ光線２１の経路（光路）とは略同じ平面に属し、かつ直線Ｐとレーザ光線２３の経路（光路）とは略同じ平面に属する状態（無論、発射装置１１から発射されたレーザ光線２１と発射装置１３から発射されたレーザ光線２３とがくい１３１の側面に照射されている。））を保ちつつ、くい１３１を嵌入口１２１に挿入していけば、目標杭１０３が立設されていた位置にくい１３１が埋入される。
嵌入口１２１の所望位置までくい１３１が挿入された後、くい１３１の上端部分のくい支持部１４１による支持を解く。
以上のようにして、目標杭１０３の位置に従ってくい１３１を立設することができる。
【００３２】
以上説明したくい１３１を嵌入口１２１に挿入する方法は、直線Ｐに略沿った棒状の埋入物たるくい１３１（くい基礎に用いられるくい）を直線Ｐに沿って地中に埋入する埋入方法であって、埋入物たるくい１３１の埋入位置に関連する所定位置に光線（レーザ光線２１、２３）を照射することができるよう光線（レーザ光線２１、２３）の照射位置を設定する照射位置設定工程（前述の第１工程）と、該照射位置設定工程にて照射位置が調節された光線（レーザ光線２１、２３）が、埋入物たるくい１３１の所定箇所（ここでは点Ｑ、Ｒ）に照射されるよう埋入物たるくい１３１の位置を調節する埋入物位置調節工程と、埋入物たるくい１３１を直線Ｐに沿って地中に埋入する埋入工程と、を備えてなる埋入方法である。
また、前記所定箇所（ここでは点Ｑ、Ｒ）が、埋設物たるくい１３１の側面上に存する。
そして、ここでは穴穿設手段たるオーガスクリュ１１１を地中に埋入するための本方法と、その後、穴穿設手段たるオーガスクリュ１１１を土中から抜き取る抜き取り工程と、を実施した後、該抜き取り工程により形成される嵌入口１２１に、くい基礎に用いられるくい１３１を埋入物として埋入するために本方法が実施されている。
【図面の簡単な説明】
【図１】照射位置設定工程たる第１工程を示す図である。
【図２】オーガスクリュにより嵌入口を穿設するところを示す図である。
【図３】オーガスクリュが土砂を掘進していく過程における、直線Ｊと直角に交わる平面によるオーガスクリュの断面図である。
【図４】くいを嵌入口に挿入するところを示す図である。
【図５】くいが嵌入口中を降下していく過程における、直線Ｐと直角に交わる平面によるくいの断面図である。
【図６】従来法の第１工程を示す図である。
【図７】従来法の第２工程を示す図である。
【図８】従来法の第３工程を示す図である。
【図９】目印棒の詳細を示す図である。
【符号の説明】
１１、１３        （レーザ光線の）発射装置
２１、２３        レーザ光線
１０１              地面
１０３              目標杭
１１１              オーガスクリュ
１１１ａ            本体部
１１１ｂ            刃部
１０５、１０７      目印棒
１０５ａ、１０７ａ  他端
１０５ｂ、１０７ｂ  一端
１０５ｆ、１０７ｆ  基準目印
１０５ｇ、１０７ｇ  第１目印
１０５ｈ、１０７ｈ  第２目印
１０９              基準棒
１２１              嵌入口
１３１              くい
１４１              くい支持部
１４３              連結軸
１４５              杭施工機の一部
【図１】
2004360237.tif 000003
【図２】
2004360237.tif 000004
【図３】
2004360237.tif 000005
【図４】
2004360237.tif 000006
【図５】
2004360237.tif 000007
【図６】
2004360237.tif 000008
【図７】
2004360237.tif 000009
【図８】
2004360237.tif 000010
【図９】
2004360237.tif 000011